(57)【要約】【課題】  従来の卵蒸し器は卵の蒸れ加減を調節することができなかった。【解決手段】  この炊飯器用卵蒸し器は、炊飯器の蒸気吹き出し口に被せて設置可能であって内部に卵蒸し空間がある容器と、容器下部に設けた卵受け台とを備え、卵受け台には前記蒸気吹き出し口から吹き出された蒸気が前記卵蒸し空間内に進入する蒸気進入口があり、前記容器には前記卵蒸し空間内を通過する蒸気が排気される排気口があり、容器に前記排気口の開口面積を調整可能な排気口調整具を設けたものである。前記卵蒸し器においては、排気口調整具は、操作部を備えて容器外から操作可能なものとしたり、容器に回転可能に被せられるキャップ状又は帯状としたり、排気口の一部又は全部を開閉可能なものとしたりできる。卵受け部の蒸気進入口の開口面積を調整可能な蒸気進入口調整具を備えたり、容器や調整具に調節量を表示する目印を備えたりすることもできる。【選択図】図１
0003122930.tif 000002
【実用新案登録請求の範囲】
【請求項１】
炊飯器の蒸気吹き出し口に被せて設置できる容器内に卵蒸し空間があり、その容器の下又は下端部又は下端部近くに卵受け台があり、卵受け台には前記蒸気吹き出し口から吹き出された蒸気が前記卵蒸し空間内に進入する蒸気進入口があり、前記容器の天板又は周壁上部又はそれらの近くに前記卵蒸し空間内を通過する蒸気が排出される排気口があり、容器に前記排気口を開閉して排気口の開口面積を調整できる排気口調整具を設け、排気口調整具で前記排気口の開口面積を調整することにより卵の蒸れ加減を半熟卵、温泉卵、軟らか卵、固蒸し卵等に調節できることを特徴とする炊飯器用卵蒸し器。
【請求項２】
請求項１記載の炊飯器用卵蒸し器において、排気口調整具は容器の内側又は外側から排気口に被さる調整部と容器外に突出して容器の外から操作可能な操作部を備え、操作部を操作して調整部を回転、スライド等させることにより排気口の開口面積を調整して卵の蒸れ加減を半熟卵、温泉卵、軟らか卵、固蒸し卵等に調節できることを特徴とする炊飯器用卵蒸し器。
【請求項３】
請求項１又は請求項２記載の炊飯器用卵蒸し器において、卵受け台又は容器に卵受け台の蒸気進入口を開閉してその開口面積を調整できる蒸気進入口調整具を設け、蒸気進入口調整具で蒸気進入口の開口面積を調整することにより卵の蒸れ加減を半熟卵、温泉卵、軟らか卵、固蒸し卵等に調節できることを特徴とする炊飯器用卵蒸し器。
【請求項４】
請求項１ないし請求項３のいずれかに記載の炊飯器用卵蒸し器において、容器と排気口調整具と蒸気進入口調整具のいずれか一以上に、半熟卵、温泉卵、軟らか卵、固蒸し卵といった卵の蒸れ加減を示す蒸れ加減目印を表示し、排気口調整具、蒸気進入口調整具の操作部を蒸れ加減目印の所望位置に合わせることにより卵の蒸れ加減を設定できるようにしたことを特徴とする炊飯器用卵蒸し器。
【考案の詳細な説明】
【技術分野】
【０００１】
本考案は電気炊飯器、ガス炊飯器等の各種炊飯器の蒸気吹き出し口に被せて設置して、蒸気吹き出し口から吹き出される高温、高圧の蒸気を利用して蒸し卵（ゆで卵）を作ることができるようにした炊飯器用卵蒸し器に関するものである。
【背景技術】
【０００２】
電気炊飯器、ガス炊飯器等の各種炊飯器の蒸気吹き出し口から吹き出される高温、高圧の蒸気を利用して卵を蒸して蒸し卵を作る卵蒸し器は従来から存在する（特許文献１、２参照。）。これら卵蒸し器は電気炊飯器、ガス炊飯器等の各種炊飯器の蒸気吹き出し口の上に生卵を収容した容器を設置し、炊飯器で炊飯すると、炊飯中に蒸気吹き出し口から吹き出される高温、高圧の蒸気が当該容器内に進入して生卵を蒸し、炊飯完了時に容器内の生卵が蒸し卵となるようにしたものである。これら卵蒸し器によって出来上がった蒸し卵は沸騰した湯の中に卵を入れて加熱したゆで卵と同様の出来上がりとなる。
【０００３】
【特許文献１】特許第２９５７９７０号公報
【特許文献２】実用新案登録第３０７３２３２号公報
【考案の開示】
【考案が解決しようとする課題】
【０００４】
従来の卵蒸し器は卵の蒸れ加減を調節することができず、一律に同じ蒸れ具合の蒸し卵しか作ることができなかった。
【課題を解決するための手段】
【０００５】
本考案は炊飯器の蒸気吹き出し口から吹き出される蒸気を利用して蒸し卵を作る炊飯器用卵蒸し器であって、卵の蒸れ具合を半熟、温泉卵、軟らか蒸し、固蒸しといった各種蒸れ具合の蒸し卵を作ることができる炊飯器用卵蒸し器を提供するものである。
【０００６】
本件出願の炊飯器用卵蒸し器は、請求項１記載のように、炊飯器の蒸気吹き出し口に被せて設置できる容器内に卵蒸し空間があり、その容器の下又は下端部又は下端部近くに卵受け台があり、卵受け台には前記蒸気吹き出し口から吹き出された蒸気が前記卵蒸し空間内に進入する蒸気進入口があり、前記容器の天板又は周壁上部又はそれらの近くに前記卵蒸し空間内を通過する蒸気が排出される排気口があり、容器に前記排気口を開閉して排気口の開口面積を調整できる排気口調整具を設け、排気口調整具で前記排気口の開口面積を調整することにより卵の蒸れ加減を半熟卵、温泉卵、軟らか卵、固蒸し卵等に調節できるようにした。
【０００７】
本件出願の炊飯器用卵蒸し器は、請求項２記載のように、請求項１記載の炊飯器用卵蒸し器において、排気口調整具は容器の内側又は外側から排気口に被さる調整部と容器外に突出して容器外から操作可能な操作部を備え、操作部を操作して調整部を回転、スライド等させることにより排気口の開口面積を調整して卵の蒸れ加減を半熟卵、温泉卵、軟らか卵、固蒸し卵等に調節できるようにした。
【０００８】
本件出願の炊飯器用卵蒸し器は、請求項３記載のように、請求項１又は請求項２記載の炊飯器用卵蒸し器において、卵受け台又は容器に卵受け台の蒸気進入口を開閉してその開口面積を調整できる蒸気進入口調整具を設け、蒸気進入口調整具で蒸気進入口の開口面積を調整することにより卵の蒸れ加減を半熟卵、温泉卵、軟らか卵、固蒸し卵等に調節できるようにした。
【０００９】
本件出願の炊飯器用卵蒸し器は、請求項４記載のように、請求項１ないし請求項３のいずれかに記載の炊飯器用卵蒸し器において、容器と排気口調整具と蒸気進入口調整具のいずれか一以上に、半熟卵、温泉卵、軟らか卵、固蒸し卵といった卵の蒸れ加減を示す蒸れ加減目印を表示し、排気口調整具、排気口調整具の操作部をそれら目印の所望位置に合わせることにより卵の蒸れ加減を設定できるようにした。
【考案の効果】
【００１０】
本件出願の請求項１〜４記載の炊飯器用卵蒸し器は、容器の排気口の開口面積を調整可能な排気口調整具を設けたため、排気口調整具によって排気口の開口面積を調整して半熟卵、温泉卵、軟らか卵、固蒸し卵といった、各種蒸れ加減の蒸し卵を作ることができる。
【００１１】
本件出願の請求項２記載の炊飯器用卵蒸し器は、排気口調整具が操作部の操作により調整部を回転、スライド等させると排気口の開口面積が調整されるので、卵蒸し中（炊飯中）であっても排気口の開口面積を調整して卵の蒸れ加減を半熟卵、温泉卵、軟らか卵、固蒸し卵等に調節することができる。
【００１２】
本件出願の請求項３記載の炊飯器用卵蒸し器は、卵受け台又は容器に卵受け台の蒸気進入口を開閉して当該蒸気進入口の開口面積を調整して卵の蒸れ加減を調節可能な蒸気進入口調整具を設けたので、蒸気進入口調整具を調整することによっても卵の蒸れ加減を調整することができる。
【００１３】
本件出願の請求項４記載の炊飯器用卵蒸し器は、容器と排気口調整具と通気口調整具のいずれか一以上に卵の蒸れ加減を示す蒸れ加減目印を表示したので、排気口調整具と蒸気進入口調整具の双方又はいずれか一方をそれら蒸れ加減目印の所望位置に合わせる（設定する）ことにより、半熟卵、温泉卵、軟らか卵、固蒸し卵といった所望の蒸れ加減の卵を作ることができる。
【考案を実施するための最良の形態】
【００１４】
（実施形態１）
本考案の炊飯器用卵蒸し器の第１の実施形態を図１〜図３に基づいて説明する。この炊飯器用卵蒸し器は図３のように炊飯器の蓋１の蒸気吹き出し口２に設置可能な卵受け台３と、卵受け台３の上に被せてその上に設置された卵Ｅをカバーする容器４と、排気口調整具５を備えている。
【００１５】
前記卵受け台３は図２に示すように筒状の周壁６ａの上に上板６ｂが形成され、下端外周に鍔７が形成されて図１のように断面コ字形に形成され、上板６ｂの上面中央部に下方に窪んだ卵受け部８が形成され、上板６ｂに細長孔の蒸気進入口９が数本開口されて、炊飯器の蒸気吹き出し口２から吹き出された蒸気がその蒸気進入口９から容器４内の卵蒸し空間１０内に進入できるようにしてある。蒸気進入口９の形状や数は他の形状や数とすることができる。
【００１６】
前記容器４は底面開口・上面閉塞の縦長カップ状であり、内部を卵蒸し空間１０とし、上面（天板）１１に排気口１２が開口され、周壁１３の上部に差込スリット１４が横長に開口され、周壁１３の上部であって差込スリット１４の向かい側に支持口１５が開口されている。容器４は紙製、樹脂製、金属製といった耐熱性のある各種材質製であり、下端を前記卵受け台３の上に被せて設置できる形状及びサイズにしてある。
【００１７】
前記排気口調整具５は容器４の天板１１の排気口１２の開口面積を調整するためのものであり、図２に示すように排気口１２の下に重なる調整部１６と、調整部１６から外に突出する操作部１７と、調整部１６から操作部１７と反対側に突出している支持片１８を備えている。この排気口調整具５は樹脂製とか表面に樹脂をコーテイングして耐水性を持たせたコーテイング紙製等とすることができる。排気口調整具５は支持片１８及び調整部１６を容器４の前記差込スリット１４から天板１１の下に差し込まれ、支持片１８が容器４の前記支持口１５から外側に突出して支持口１５の下縁に支持され、操作部１７が差込スリット１４から容器外に突出している。この操作部１７を指で摘んで差込スリット１４に沿ってスライドさせると調整部１６が容器４内で回転して容器４の天板１１の排気口１２と調整部１６に開口されている調整孔１９との重なり量が変わって排気口１２の開口面積が調整され、排気口１２から排出される蒸気の量が調整されると共に容器４の卵蒸し空間１０内の温度も調節されるようにしてある。
【００１８】
容器４のうち差込スリット１４の下には蒸れ加減目印２０ａ〜２０ｃが表示されている。この蒸れ加減目印２０ａ〜２０ｃの下には固蒸し卵、半熟卵、温泉卵といった蒸れ上がった卵の蒸れ加減が文字表示されており、操作部１７をそれら蒸れ加減目印２０ａ〜２０ｃに合わせる（設定する）ことにより、設定された蒸れ加減目印２０ａ〜２０ｃに表示されている蒸れ加減の卵を作ることができるようにしてある。
【００１９】
（使用例）
図１〜図３の炊飯器用卵蒸し器を用いて蒸し卵を作るためには次のようにする。
（１）生卵Ｅを卵受け台３の卵受け部８上にセットし、その上から容器４を被せる（図２参照。）。
（２）卵Ｅをセットした炊飯器用蒸し器を炊飯器の蓋１の蒸気吹き出し口２の上に設置する（図３参照。）。
（３）炊飯器用卵蒸し器の排気口調整具５の操作部１７を容器４の目印２０ａ〜２０ｃの所望位置に合わせて、容器４の排気口１２の開口面積を所望の蒸れ加減の卵ができるように調整する（図１参照。）。
（４）炊飯器を点灯或は着火させて炊飯する。炊飯量一合に対して一個の卵を蒸すのが適する。
（５）蒸気吹き出し口２から吹き出る蒸気が炊飯器用卵蒸し器の卵受け台３の蒸気進入口９を通過して容器４の卵蒸し空間１０内に進入し、その蒸気の熱によって卵Ｅが蒸される。卵蒸し空間１０内に進入した蒸気は容器の排気口１２から外部に排出される。
（６）炊飯完了により自動的に蒸し卵が完成する。蒸し上がった卵の蒸れ具合は前記位置合わせした蒸れ加減目印に表示されている蒸れ具合、例えば、半熟卵、温泉卵等となる。
【００２０】
本件考案者の実験によれば、実施形態１の操作部１７を固蒸し卵の目印にセットすると排気口１２が調整部１６によって完全に塞がれて蒸し上がる卵は固蒸し卵（通常のゆで卵）となった。操作部１７を半熟卵の目印にセットすると排気口１２が半分程度開口して蒸し上がる卵は半熟卵となった。操作部１７を温泉卵の目印にセットすると排気口１２が全部開口して蒸し上がる卵は温泉卵になった。また、一合のご飯が炊飯される際の蒸気吹き出し口２から吹き出される蒸気によって一個の蒸し卵を作ることが可能であり、三合のご飯を炊飯する場合は炊飯終了時に三個の蒸し卵を作ることができた。炊飯量一合に対して卵一個の割合で蒸すのが適する。
【００２１】
（実施形態２）
この実施形態は図４に示すように排気口調整具５を連通孔２１の開いた円盤状にし、それを容器４の上面の上に軸２２で取り付け、排気口調整具５を図４の矢印方向に回転させることにより、容器４の上面の排気口１２と排気口調整具５の連通孔２１との重なり量が調整されて排気口１２の開口面積が調節されるようにしてある。この場合、円盤状の排気口調整具５の外周縁に表示してある設定目印２３を容器４の外周上縁部に表示してある蒸れ加減目印２０ａ〜２０ｃのいずれかに位置合わせすることで、排気口１２の開口面積が合わせた蒸れ加減目印２０ａ〜２０ｃの卵の蒸れ加減となるように設定される。この実施形態の卵受け台３は実施形態１のものと同じものである。
【００２２】
（実施形態３）
この実施形態は図５に示すように排気口調整具５を下方開口のキャップ状にし、それを容器４の上に被せてあり、排気口調整具５を図５の矢印方向に回転させることにより、容器４の上面の排気口１２と排気口調整具５の上面の連通孔２１との重なり量が調整されて排気口１２の開口面積が調節されるようにしてある。この場合、排気口調整具５の外周下端縁に表示してある設定目印２３を容器４の外周に表示してある蒸れ加減目印２０ａ〜２０ｃのいずれかに位置合わせすることで、排気口１２の開口面積が合わせた蒸れ加減目印２０ａ〜２０ｃの卵の蒸れ加減となるように設定される。この実施形態の卵受け台３は実施形態１のものと同じものである。
【００２３】
（実施形態４）
本考案の炊飯器用卵蒸し器は図示していないが、容器の排気口を容器の外周面に開口し、排気口調整具をリング状にして容器の外周に回転可能に被せ、その排気口調整具に容器の排気口に重なる連通孔を設け、排気口調整具を回転させると容器外周面の排気口と排気口調整具の連通孔との重なり量が変って、排気口の開口面積が調整されるようにしたものとすることもできる。
【００２４】
（実施形態５）
図示した実施形態の容器４はいずれも底面開口・上面閉塞であるが、本願考案における容器は上下に貫通した筒状であってもよく、その場合は、容器の上面開口部に図５に示すようなキャップ状の排気口調整具５を二重に被せて、外側の排気口調整具５を回転させるとそれに開口されている連通孔２１と内側の排気口調整具５に開口されている連通孔２１との重なり量が変わって連通孔２１の開口面積が調節されるようにすることもできる。
【００２５】
（実施形態６）
前記実施形態の卵受け台３はいずれも蒸気進入口９の開口面積が一定であるが、本願考案では蒸気進入口の開口面積も調整可能とすることができる。その場合は例えば図２に示す卵受け台３の上に連通口が開口されたキャップ状のカバーを被せ、そのカバーを回転させるとその連通口と卵受け台３の蒸気進入口９との重なり量が変わって通気口の開口面積が調節されるようにすることができる。この場合は卵受け台３に蒸れ加減目印２０ａ〜２０ｃを表示しカバーに設定目印２３を表示して、その設定目印２３を蒸れ加減目印２０ａ〜２０ｃのいずれかに位置合わせ（設定）することにより蒸れ上がる卵の蒸れ加減が、設定した蒸れ加減目印２０ａ〜２０ｃの蒸れ加減になる。
【００２６】
（実施形態７）
本願考案における卵受け台は前記実施形態に記載の形状、構造のものに限られず、任意の形状、構造のものとすることができる。例えば、容器４内の下端寄り位置に網板や多数の孔の開いた板を卵受け台３として図６のように容器４の開口底面から容器４内に圧入して取付けることができる。この場合は網目や孔が蒸気進入口９となる。また、図示しないが、容器４内の下端寄り位置に数本の棒材を平行に架設してその上に卵をのせることができるようにしたものでもよい。この場合は数本の棒材間の隙間が蒸気進入口９となる。卵受け台の取り付け位置は容器の下端寄り、中間部、上端寄りといった任意位置とすることができる。卵受け台は容器内に上下に間隔をあけて二段以上設けることもできる。
【００２７】
（実施形態８）
本願考案の炊飯器用卵蒸し器における排気口調整具５及び卵受け台３の容器４への設置構造は前記各実施形態に記載の構造には限られず任意の構造、例えば、図７〜図９に示す構造によることもできる。図７〜図９に示すもの容器４の上面１１の外周縁に上周壁２５を立ち上げ、その上周壁２５の周方向一部に切り欠き部２６を設け、上面１１の上に連通孔２１が開口された円盤状の排気口調整具５を被せてある。排気口調整具５は上面１１の上に被せる調整部１６とそれから外に突出する操作部１７を備え、調整部１６を上面１１の上に重ねると連通孔２１が容器の上面１１に開口されている排気口１２の上に被さり、操作部１７が前記切り欠き部２６から外に突出し、操作部１７を図７の矢印方向に回転させると、連通孔２１と排気口１２の重なりが調整されて排気口１２の開口面積が調整されるようにしてある。また、容器の上面１１の上に被せた排気口調整具５はその上に配置して容器４の前記周壁２５の内周縁に嵌合した調整具係止リング２７で押さえて排気口調整具５を容器４の上面１１の上に回転可能に保持してある。
【００２８】
前記調整具係止リング２７の外径は容器４の上周壁２５の内径より少し大径に形成され、リング両端部に内側に突出する摘み部３０が形成され、リングの周方向三箇所に内側に突出するリブ３１を形成して強度を高めてあり、二つの摘み部３０を内側に圧縮するとリング径が収縮して容器４の上周壁２５の内側に嵌入することができ、その圧縮を解除するとリング径が復元して上周壁２５の内面に圧接係止して、上周壁２５内側から不用意に抜け落ちないようにしてあり、これにより排気口調整具５の調整部１６を容器４の上面１１に回転可能に保持して、排気口調整具５が容器４から外れないようにしてある。
【００２９】
図９の実施形態の卵受け台３は数本の細長孔の蒸気進入口９が開口された上板６ｂの周縁下方に裾広がりの周壁６ａが形成され、上板６ｂの内面に丸棒状の把持部２９が突設されている。この卵受け台３は把持部２９を指で摘んで容器４の下部内側に圧入し、その卵受け台３の下から容器４内に嵌め込んだ卵受け台係止リング２８で支持して容器４内から脱落しないようにしてある。
【００３０】
卵受け台係止リング２８の外径は容器４の下部の内径より少し大径に形成され、リング両端部に内側に突出する摘み部３２が形成され、リングの周方向三箇所に内側に突出するリブ３３を形成して強度を高めてあり、二つの摘み部３２を内側に圧縮するとリング径が収縮して容器４の下部内側に嵌入することができ、その圧縮を解除するとリング径が復元して容器の下部内面に圧接係止して不用意に抜け落ちないようにしてあり、これにより卵受け台３を容器４の下部内側に支持して卵受け台３が容器４から脱落しないようにしてある。
【００３１】
この炊飯器用卵蒸し器においても、操作部１７を切り欠き部２６の下の蒸れ加減目印２０ａ〜２０ｃに合わせて設定することにより、設定した蒸れ加減目印２０ａ〜２０ｃに表示されている蒸れ加減の卵を作ることができるようにしてある。
【００３２】
（実施形態９）
本願考案の排気口調整具は排気口の開口面積を調節可能なものであれば、前記した実施形態の形状、構造のものに限らず他の形状、構造とすることができる。また、それらの動きも回転やスライド以外の動きとすることもできる。
【００３３】
卵受け台、容器、排気口調整具、蒸気進入口調整具等の形状、サイズ等は炊飯器から噴出される蒸気の量、パワー、一回の炊飯で蒸す卵の数等によって任意に選択することができる。容器のサイズの一例は、開口底面の直径85mm、上面直径60mm、高さ160 mm程度、排気口の直径10mm〜12mm程度が好ましい。蒸気進入口の数、大きさ等も卵を蒸すのに適する適宜の数、サイズとすることができる。容器の排気口と排気口調整具の調整孔（連通孔）の一方又は双方の形状を楕円形や偏芯円形として、排気口の開口面積をより細かく調整できるようにすることもできる。また、容器の排気口と排気口調整具の調整孔（連通孔）の数も、夫々一つには限られず、二以上開口することもできる。
【００３４】
排気口調整具は、前記各実施形態記載の形状、構造のものには限られず、容器に回転又はスライド可能に取付けられ、排気口の開口面積を調節可能なものであれば、任意の形状、構造のものとすることができる。従って、例えば、排気口調整具を、排気口を閉塞可能な板材とし、容器に回転又はスライド可能に取り付け、板材で排気口調整具を覆うことによって排気口の開口面積を調節できるようにすることもできる。また、排気口にスライド扉を備えたりすることもできる。
【００３５】
前記蒸れ加減目印の数は図示したものより多くても少なくても良く、希望する蒸れ加減の種類分だけ設けることができる。
【００３６】
本考案の炊飯器用卵蒸し器においては卵受け台、容器、排気口調整具、蒸気進入口調整具等の材質は前記材質に限られず、各種金属、紙、木、竹、それらの組み合わせ等、任意のものとすることができる。
【産業上の利用可能性】
【００３７】
本考案の炊飯器用卵蒸し器は、卵の調理には限られず、野菜、肉等の各食材の蒸し調理器としても応用することができる。
【図面の簡単な説明】
【００３８】
【図１】本考案の炊飯器用卵蒸し器の実施形態の一例を示す斜視図。
【図２】図１に示す炊飯器用卵蒸し器を示す分解斜視図。
【図３】図１に示す炊飯器用卵蒸し器を示す断面正面図。
【図４】本考案の炊飯器用卵蒸し器の実施形態の他の一例を示す斜視図。
【図５】本考案の炊飯器用卵蒸し器の実施形態のその他の一例を示す斜視図。
【図６】本考案の炊飯器用卵蒸し器の実施形態のその他の一例を示す斜視図。
【図７】本考案の炊飯器用卵蒸し器の実施形態のその他の一例を示す斜視図。
【図８】図７に示す炊飯器用蒸し器の上部の構造を示す分解斜視図。
【図９】図７に示す炊飯器用蒸し器の下部の構造を示す分解斜視図。
【符号の説明】
【００３９】
１  炊飯器の蓋
２  蒸気吹き出し口
３  卵受け台
４  容器
５  排気口調整具
８  卵受け部
９  蒸気進入口
１０  卵蒸し空間
１２  排気口
１６  調整部
１７  操作部
１９  調整孔
２０ａ〜２０ｃ  蒸れ加減目印
２１  連通孔
２２  軸
２３  設定目印
【図１】
0003122930.tif 000003
【図２】
0003122930.tif 000004
【図３】
0003122930.tif 000005
【図４】
0003122930.tif 000006
【図５】
0003122930.tif 000007
【図６】
0003122930.tif 000008
【図７】
0003122930.tif 000009
【図８】
0003122930.tif 000010
【図９】
0003122930.tif 000011
【手続補正書】
【提出日】平成18年4月28日(2006.4.28)
【手続補正１】
【補正対象書類名】実用新案登録請求の範囲
【補正対象項目名】全文
【補正方法】変更
【補正の内容】
【実用新案登録請求の範囲】
【請求項１】
炊飯器の蒸気吹き出し口に被せて設置できる容器内に卵蒸し空間があり、その容器の下又は下端部又は下端部近くに卵受け台があり、卵受け台には前記蒸気吹き出し口から吹き出された蒸気が前記卵蒸し空間内に進入する蒸気進入口があり、前記容器の天板又は周壁上部又はそれらの近くに前記卵蒸し空間内を通過する蒸気が排出される排気口があり、容器に前記排気口を開閉して排気口の開口面積を調整できる排気口調整具を設け、排気口調整具で前記排気口の開口面積を調整することにより卵の蒸れ加減を半熟卵、温泉卵、軟らか卵、固蒸し卵等に調節できることを特徴とする炊飯器用卵蒸し器。
【請求項２】
請求項１記載の炊飯器用卵蒸し器において、排気口調整具は容器の内側又は外側から排気口に被さる調整部と容器外に突出して容器の外から操作可能な操作部を備え、操作部を操作して調整部を回転、スライド等させることにより排気口の開口面積を調整して卵の蒸れ加減を半熟卵、温泉卵、軟らか卵、固蒸し卵等に調節できることを特徴とする炊飯器用卵蒸し器。
【請求項３】
請求項１又は請求項２記載の炊飯器用卵蒸し器において、卵受け台又は容器に卵受け台の蒸気進入口を開閉してその開口面積を調整できる蒸気進入口調整具を設け、蒸気進入口調整具で蒸気進入口の開口面積を調整することにより卵の蒸れ加減を半熟卵、温泉卵、軟らか卵、固蒸し卵等に調節できることを特徴とする炊飯器用卵蒸し器。
【請求項４】
請求項１ないし請求項３のいずれかに記載の炊飯器用卵蒸し器において、容器と排気口調整具と蒸気進入口調整具のいずれか一以上に、半熟卵、温泉卵、軟らか卵、固蒸し卵といった卵の蒸れ加減を示す蒸れ加減目印を表示し、排気口調整具、蒸気進入口調整具の操作部を蒸れ加減目印の所望位置に合わせることにより卵の蒸れ加減を設定できるようにしたことを特徴とする炊飯器用卵蒸し器。
【請求項５】
請求項１ないし請求項４のいずれかに記載の炊飯器用卵蒸し器において、容器の上面外周縁に上周壁が立ち上げられ、前記上面の上で上周壁の内側に排気口調整具が被せられ、その排気口調整具には連通孔が開口され、排気口調整具はその上に配置して前記上周壁の内側に係止された調整具係止リングで上面に押さえられ、排気口調整具を容器の上面の上で回転させると前記連通孔と前記上面の排気口との重なりが調整されて排気口の開口面積が調整されて卵の蒸れ加減が半熟卵、温泉卵、軟らか卵、固蒸し卵等に調節されるようにしたことを特徴とする炊飯器用卵蒸し器。
【請求項６】
請求項１ないし請求項５のいずれかに記載の炊飯器用卵蒸し器において、卵受け台は容器の底面開口部から容器の下部内側に収容され、その卵受け台は容器の底面開口部から容器の下部内側に嵌め込んで当該下部周壁内面に係止された卵受け台係止リングにより容器内から脱落しないように支持されたことを特徴とする炊飯器用卵蒸し器。
【手続補正２】
【補正対象書類名】明細書
【補正対象項目名】全文
【補正方法】変更
【補正の内容】
【考案の詳細な説明】
【技術分野】
【０００１】
本考案は電気炊飯器、ガス炊飯器等の各種炊飯器の蒸気吹き出し口に被せて設置して、蒸気吹き出し口から吹き出される高温、高圧の蒸気を利用して蒸し卵（ゆで卵）を作ることができるようにした炊飯器用卵蒸し器に関するものである。
【背景技術】
【０００２】
電気炊飯器、ガス炊飯器等の各種炊飯器の蒸気吹き出し口から吹き出される高温、高圧の蒸気を利用して卵を蒸して蒸し卵を作る卵蒸し器は従来から存在する（特許文献１、２参照。）。これら卵蒸し器は電気炊飯器、ガス炊飯器等の各種炊飯器の蒸気吹き出し口の上に生卵を収容した容器を設置し、炊飯器で炊飯すると、炊飯中に蒸気吹き出し口から吹き出される高温、高圧の蒸気が当該容器内に進入して生卵を蒸し、炊飯完了時に容器内の生卵が蒸し卵となるようにしたものである。これら卵蒸し器によって出来上がった蒸し卵は沸騰した湯の中に卵を入れて加熱したゆで卵と同様の出来上がりとなる。
【０００３】
【特許文献１】特許第２９５７９７０号公報
【特許文献２】実用新案登録第３０７３２３２号公報
【考案の開示】
【考案が解決しようとする課題】
【０００４】
従来の卵蒸し器は卵の蒸れ加減を調節することができず、一律に同じ蒸れ具合の蒸し卵しか作ることができなかった。
【課題を解決するための手段】
【０００５】
本考案は炊飯器の蒸気吹き出し口から吹き出される蒸気を利用して蒸し卵を作る炊飯器用卵蒸し器であって、卵の蒸れ具合を半熟、温泉卵、軟らか蒸し、固蒸しといった各種蒸れ具合の蒸し卵を作ることができる炊飯器用卵蒸し器を提供するものである。
【０００６】
本件出願の炊飯器用卵蒸し器は、請求項１記載のように、炊飯器の蒸気吹き出し口に被せて設置できる容器内に卵蒸し空間があり、その容器の下又は下端部又は下端部近くに卵受け台があり、卵受け台には前記蒸気吹き出し口から吹き出された蒸気が前記卵蒸し空間内に進入する蒸気進入口があり、前記容器の天板又は周壁上部又はそれらの近くに前記卵蒸し空間内を通過する蒸気が排出される排気口があり、容器に前記排気口を開閉して排気口の開口面積を調整できる排気口調整具を設け、排気口調整具で前記排気口の開口面積を調整することにより卵の蒸れ加減を半熟卵、温泉卵、軟らか卵、固蒸し卵等に調節できるようにした。
【０００７】
本件出願の炊飯器用卵蒸し器は、請求項２記載のように、請求項１記載の炊飯器用卵蒸し器において、排気口調整具は容器の内側又は外側から排気口に被さる調整部と容器外に突出して容器外から操作可能な操作部を備え、操作部を操作して調整部を回転、スライド等させることにより排気口の開口面積を調整して卵の蒸れ加減を半熟卵、温泉卵、軟らか卵、固蒸し卵等に調節できるようにした。
【０００８】
本件出願の炊飯器用卵蒸し器は、請求項３記載のように、請求項１又は請求項２記載の炊飯器用卵蒸し器において、卵受け台又は容器に卵受け台の蒸気進入口を開閉してその開口面積を調整できる蒸気進入口調整具を設け、蒸気進入口調整具で蒸気進入口の開口面積を調整することにより卵の蒸れ加減を半熟卵、温泉卵、軟らか卵、固蒸し卵等に調節できるようにした。
【０００９】
本件出願の炊飯器用卵蒸し器は、請求項４記載のように、請求項１ないし請求項３のいずれかに記載の炊飯器用卵蒸し器において、容器と排気口調整具と蒸気進入口調整具のいずれか一以上に、半熟卵、温泉卵、軟らか卵、固蒸し卵といった卵の蒸れ加減を示す蒸れ加減目印を表示し、排気口調整具、排気口調整具の操作部をそれら目印の所望位置に合わせることにより卵の蒸れ加減を設定できるようにした。
【００１０】
本件出願の炊飯器用卵蒸し器は、請求項５記載のように、請求項１ないし請求項４のいずれかに記載の炊飯器用卵蒸し器において、容器の上面外周縁に上周壁が立ち上げられ、前記上面の上で上周壁の内側に排気口調整具が被せられ、その排気口調整具には連通孔が開口され、排気口調整具はその上に配置して前記上周壁の内側に係止された調整具係止リングで上面に押さえられ、排気口調整具を容器の上面の上で回転させると前記連通孔と前記上面の排気口との重なりが調整されて排気口の開口面積が調整されて卵の蒸れ加減が半熟卵、温泉卵、軟らか卵、固蒸し卵等に調節されるようにした。
【００１１】
本件出願の炊飯器用卵蒸し器は、請求項６記載のように、請求項１ないし請求項５のいずれかに記載の炊飯器用卵蒸し器において、卵受け台は容器の底面開口部から容器の下部内側に収容され、その卵受け台を容器の底面開口部から容器の下部内側に嵌め込んで当該下部周壁内面に係止された卵受け台係止リングにより容器内から脱落しないように支持した。
【考案の効果】
【００１２】
本件出願の請求項１〜６記載の炊飯器用卵蒸し器は、容器の排気口の開口面積を調整可能な排気口調整具を設けたため、排気口調整具によって排気口の開口面積を調整して半熟卵、温泉卵、軟らか卵、固蒸し卵といった、各種蒸れ加減の蒸し卵を作ることができる。
【００１３】
本件出願の請求項２記載の炊飯器用卵蒸し器は、排気口調整具が操作部の操作により調整部を回転、スライド等させると排気口の開口面積が調整されるので、卵蒸し中（炊飯中）であっても排気口の開口面積を調整して卵の蒸れ加減を半熟卵、温泉卵、軟らか卵、固蒸し卵等に調節することができる。
【００１４】
本件出願の請求項３記載の炊飯器用卵蒸し器は、卵受け台又は容器に卵受け台の蒸気進入口を開閉して当該蒸気進入口の開口面積を調整して卵の蒸れ加減を調節可能な蒸気進入口調整具を設けたので、蒸気進入口調整具を調整することによっても卵の蒸れ加減を調整することができる。
【００１５】
本件出願の請求項４記載の炊飯器用卵蒸し器は、容器と排気口調整具と通気口調整具のいずれか一以上に卵の蒸れ加減を示す蒸れ加減目印を表示したので、排気口調整具と蒸気進入口調整具の双方又はいずれか一方をそれら蒸れ加減目印の所望位置に合わせる（設定する）ことにより、半熟卵、温泉卵、軟らか卵、固蒸し卵といった所望の蒸れ加減の卵を作ることができる。
【００１６】
本件出願の請求項５記載の炊飯器用卵蒸し器は、容器の上面の上で上周壁の内側に連通孔が開口された排気口調整具が被せられ、その排気口調整具は調整具係止リングで容器上面に回転可能に押さえられるようにしたので、炊飯器用卵蒸し器を簡易な構造とすることができ、形成が容易となり、コスト減にも資する。また、排気口調整具の着脱も容易であるため清掃もし易く、炊飯器用卵蒸し器を常に清潔に保つことができるようになる。
【００１７】
本件出願の請求項６記載の炊飯器用卵蒸し器は、卵受け台は容器の底面開口部から容器の下部内側に収容され、その卵受け台を容器の底面開口部から容器の下部内側に嵌め込んで当該下部周壁内面に係止された卵受け台係止リングにより容器内から脱落しないように支持するので、卵を入れた卵受け台を持ち上げても卵が脱落せず、卵の破損のおそれがなく、炊飯器用卵蒸し器を安心して使用することができる。また、炊飯器用卵蒸し器を簡易な構造とすることができ、形成が容易となり、コスト減にも資する。更に、清掃もし易くなり、炊飯器用卵蒸し器を常に清潔に保つことができるようになる。
【考案を実施するための最良の形態】
【００１８】
（実施形態１）
本考案の炊飯器用卵蒸し器の第１の実施形態を図１〜図３に基づいて説明する。この炊飯器用卵蒸し器は図３のように炊飯器の蓋１の蒸気吹き出し口２に設置可能な卵受け台３と、卵受け台３の上に被せてその上に設置された卵Ｅをカバーする容器４と、排気口調整具５を備えている。
【００１９】
前記卵受け台３は図２に示すように筒状の周壁６ａの上に上板６ｂが形成され、下端外周に鍔７が形成されて図１のように断面コ字形に形成され、上板６ｂの上面中央部に下方に窪んだ卵受け部８が形成され、上板６ｂに細長孔の蒸気進入口９が数本開口されて、炊飯器の蒸気吹き出し口２から吹き出された蒸気がその蒸気進入口９から容器４内の卵蒸し空間１０内に進入できるようにしてある。蒸気進入口９の形状や数は他の形状や数とすることができる。
【００２０】
前記容器４は底面開口・上面閉塞の縦長カップ状であり、内部を卵蒸し空間１０とし、上面（天板）１１に排気口１２が開口され、周壁１３の上部に差込スリット１４が横長に開口され、周壁１３の上部であって差込スリット１４の向かい側に支持口１５が開口されている。容器４は紙製、樹脂製、金属製といった耐熱性のある各種材質製であり、下端を前記卵受け台３の上に被せて設置できる形状及びサイズにしてある。
【００２１】
前記排気口調整具５は容器４の天板１１の排気口１２の開口面積を調整するためのものであり、図２に示すように排気口１２の下に重なる調整部１６と、調整部１６から外に突出する操作部１７と、調整部１６から操作部１７と反対側に突出している支持片１８を備えている。この排気口調整具５は樹脂製とか表面に樹脂をコーテイングして耐水性を持たせたコーテイング紙製等とすることができる。排気口調整具５は支持片１８及び調整部１６を容器４の前記差込スリット１４から天板１１の下に差し込まれ、支持片１８が容器４の前記支持口１５から外側に突出して支持口１５の下縁に支持され、操作部１７が差込スリット１４から容器外に突出している。この操作部１７を指で摘んで差込スリット１４に沿ってスライドさせると調整部１６が容器４内で回転して容器４の天板１１の排気口１２と調整部１６に開口されている調整孔１９との重なり量が変わって排気口１２の開口面積が調整され、排気口１２から排出される蒸気の量が調整されると共に容器４の卵蒸し空間１０内の温度も調節されるようにしてある。
【００２２】
容器４のうち差込スリット１４の下には蒸れ加減目印２０ａ〜２０ｃが表示されている。この蒸れ加減目印２０ａ〜２０ｃの下には固蒸し卵、半熟卵、温泉卵といった蒸れ上がった卵の蒸れ加減が文字表示されており、操作部１７をそれら蒸れ加減目印２０ａ〜２０ｃに合わせる（設定する）ことにより、設定された蒸れ加減目印２０ａ〜２０ｃに表示されている蒸れ加減の卵を作ることができるようにしてある。
【００２３】
（使用例）
図１〜図３の炊飯器用卵蒸し器を用いて蒸し卵を作るためには次のようにする。
（１）生卵Ｅを卵受け台３の卵受け部８上にセットし、その上から容器４を被せる（図２参照。）。
（２）卵Ｅをセットした炊飯器用蒸し器を炊飯器の蓋１の蒸気吹き出し口２の上に設置する（図３参照。）。
（３）炊飯器用卵蒸し器の排気口調整具５の操作部１７を容器４の目印２０ａ〜２０ｃの所望位置に合わせて、容器４の排気口１２の開口面積を所望の蒸れ加減の卵ができるように調整する（図１参照。）。
（４）炊飯器を点灯或は着火させて炊飯する。炊飯量一合に対して一個の卵を蒸すのが適する。
（５）蒸気吹き出し口２から吹き出る蒸気が炊飯器用卵蒸し器の卵受け台３の蒸気進入口９を通過して容器４の卵蒸し空間１０内に進入し、その蒸気の熱によって卵Ｅが蒸される。卵蒸し空間１０内に進入した蒸気は容器の排気口１２から外部に排出される。
（６）炊飯完了により自動的に蒸し卵が完成する。蒸し上がった卵の蒸れ具合は前記位置合わせした蒸れ加減目印に表示されている蒸れ具合、例えば、半熟卵、温泉卵等となる。
【００２４】
本件考案者の実験によれば、実施形態１の操作部１７を固蒸し卵の目印にセットすると排気口１２が調整部１６によって完全に塞がれて蒸し上がる卵は固蒸し卵（通常のゆで卵）となった。操作部１７を半熟卵の目印にセットすると排気口１２が半分程度開口して蒸し上がる卵は半熟卵となった。操作部１７を温泉卵の目印にセットすると排気口１２が全部開口して蒸し上がる卵は温泉卵になった。また、一合のご飯が炊飯される際の蒸気吹き出し口２から吹き出される蒸気によって一個の蒸し卵を作ることが可能であり、三合のご飯を炊飯する場合は炊飯終了時に三個の蒸し卵を作ることができた。炊飯量一合に対して卵一個の割合で蒸すのが適する。
【００２５】
（実施形態２）
この実施形態は図４に示すように排気口調整具５を連通孔２１の開いた円盤状にし、それを容器４の上面の上に軸２２で取り付け、排気口調整具５を図４の矢印方向に回転させることにより、容器４の上面の排気口１２と排気口調整具５の連通孔２１との重なり量が調整されて排気口１２の開口面積が調節されるようにしてある。この場合、円盤状の排気口調整具５の外周縁に表示してある設定目印２３を容器４の外周上縁部に表示してある蒸れ加減目印２０ａ〜２０ｃのいずれかに位置合わせすることで、排気口１２の開口面積が合わせた蒸れ加減目印２０ａ〜２０ｃの卵の蒸れ加減となるように設定される。この実施形態の卵受け台３は実施形態１のものと同じものである。
【００２６】
（実施形態３）
この実施形態は図５に示すように排気口調整具５を下方開口のキャップ状にし、それを容器４の上に被せてあり、排気口調整具５を図５の矢印方向に回転させることにより、容器４の上面の排気口１２と排気口調整具５の上面の連通孔２１との重なり量が調整されて排気口１２の開口面積が調節されるようにしてある。この場合、排気口調整具５の外周下端縁に表示してある設定目印２３を容器４の外周に表示してある蒸れ加減目印２０ａ〜２０ｃのいずれかに位置合わせすることで、排気口１２の開口面積が合わせた蒸れ加減目印２０ａ〜２０ｃの卵の蒸れ加減となるように設定される。この実施形態の卵受け台３は実施形態１のものと同じものである。
【００２７】
（実施形態４）
本考案の炊飯器用卵蒸し器は図示していないが、容器の排気口を容器の外周面に開口し、排気口調整具をリング状にして容器の外周に回転可能に被せ、その排気口調整具に容器の排気口に重なる連通孔を設け、排気口調整具を回転させると容器外周面の排気口と排気口調整具の連通孔との重なり量が変って、排気口の開口面積が調整されるようにしたものとすることもできる。
【００２８】
（実施形態５）
図示した実施形態の容器４はいずれも底面開口・上面閉塞であるが、本願考案における容器は上下に貫通した筒状であってもよく、その場合は、容器の上面開口部に図５に示すようなキャップ状の排気口調整具５を二重に被せて、外側の排気口調整具５を回転させるとそれに開口されている連通孔２１と内側の排気口調整具５に開口されている連通孔２１との重なり量が変わって連通孔２１の開口面積が調節されるようにすることもできる。
【００２９】
（実施形態６）
前記実施形態の卵受け台３はいずれも蒸気進入口９の開口面積が一定であるが、本願考案では蒸気進入口の開口面積も調整可能とすることができる。その場合は例えば図２に示す卵受け台３の上に連通口が開口されたキャップ状のカバーを被せ、そのカバーを回転させるとその連通口と卵受け台３の蒸気進入口９との重なり量が変わって通気口の開口面積が調節されるようにすることができる。この場合は卵受け台３に蒸れ加減目印２０ａ〜２０ｃを表示しカバーに設定目印２３を表示して、その設定目印２３を蒸れ加減目印２０ａ〜２０ｃのいずれかに位置合わせ（設定）することにより蒸れ上がる卵の蒸れ加減が、設定した蒸れ加減目印２０ａ〜２０ｃの蒸れ加減になる。
【００３０】
（実施形態７）
本願考案における卵受け台は前記実施形態に記載の形状、構造のものに限られず、任意の形状、構造のものとすることができる。例えば、容器４内の下端寄り位置に網板や多数の孔の開いた板を卵受け台３として図６のように容器４の開口底面から容器４内に圧入して取付けることができる。この場合は網目や孔が蒸気進入口９となる。また、図示しないが、容器４内の下端寄り位置に数本の棒材を平行に架設してその上に卵をのせることができるようにしたものでもよい。この場合は数本の棒材間の隙間が蒸気進入口９となる。卵受け台の取り付け位置は容器の下端寄り、中間部、上端寄りといった任意位置とすることができる。卵受け台は容器内に上下に間隔をあけて二段以上設けることもできる。
【００３１】
（実施形態８）
本願考案の炊飯器用卵蒸し器における排気口調整具５及び卵受け台３の容器４への設置構造は前記各実施形態に記載の構造には限られず任意の構造、例えば、図７〜図９に示す構造によることもできる。図７〜図９に示すもの容器４の上面１１の外周縁に上周壁２５を立ち上げ、その上周壁２５の周方向一部に切り欠き部２６を設け、上面１１の上に連通孔２１が開口された円盤状の排気口調整具５を被せてある。排気口調整具５は上面１１の上に被せる調整部１６とそれから外に突出する操作部１７を備え、調整部１６を上面１１の上に重ねると連通孔２１が容器の上面１１に開口されている排気口１２の上に被さり、操作部１７が前記切り欠き部２６から外に突出し、操作部１７を図７の矢印方向に回転させると、連通孔２１と排気口１２の重なりが調整されて排気口１２の開口面積が調整されるようにしてある。また、容器の上面１１の上に被せた排気口調整具５はその上に配置して容器４の前記周壁２５の内周縁に嵌合した調整具係止リング２７で押さえて排気口調整具５を容器４の上面１１の上に回転可能に保持してある。
【００３２】
前記調整具係止リング２７の外径は容器４の上周壁２５の内径より少し大径に形成され、リング両端部に内側に突出する摘み部３０が形成され、リングの周方向三箇所に内側に突出するリブ３１を形成して強度を高めてあり、二つの摘み部３０を内側に圧縮するとリング径が収縮して容器４の上周壁２５の内側に嵌入することができ、その圧縮を解除するとリング径が復元して上周壁２５の内面に圧接係止して、上周壁２５内側から不用意に抜け落ちないようにしてあり、これにより排気口調整具５の調整部１６を容器４の上面１１に回転可能に保持して、排気口調整具５が容器４から外れないようにしてある。
【００３３】
図９の実施形態の卵受け台３は数本の細長孔の蒸気進入口９が開口された上板６ｂの周縁下方に裾広がりの周壁６ａが形成され、上板６ｂの内面に丸棒状の把持部２９が突設されている。この卵受け台３は把持部２９を指で摘んで容器４の下部内側に圧入し、その卵受け台３の下から容器４内に嵌め込んだ卵受け台係止リング２８で支持して容器４内から脱落しないようにしてある。
【００３４】
卵受け台係止リング２８の外径は容器４の下部の内径より少し大径に形成され、リング両端部に内側に突出する摘み部３２が形成され、リングの周方向三箇所に内側に突出するリブ３３を形成して強度を高めてあり、二つの摘み部３２を内側に圧縮するとリング径が収縮して容器４の下部内側に嵌入することができ、その圧縮を解除するとリング径が復元して容器の下部内面に圧接係止して不用意に抜け落ちないようにしてあり、これにより卵受け台３を容器４の下部内側に支持して卵受け台３が容器４から脱落しないようにしてある。
【００３５】
この炊飯器用卵蒸し器においても、操作部１７を切り欠き部２６の下の蒸れ加減目印２０ａ〜２０ｃに合わせて設定することにより、設定した蒸れ加減目印２０ａ〜２０ｃに表示されている蒸れ加減の卵を作ることができるようにしてある。
【００３６】
（実施形態９）
本願考案の排気口調整具は排気口の開口面積を調節可能なものであれば、前記した実施形態の形状、構造のものに限らず他の形状、構造とすることができる。また、それらの動きも回転やスライド以外の動きとすることもできる。
【００３７】
卵受け台、容器、排気口調整具、蒸気進入口調整具等の形状、サイズ等は炊飯器から噴出される蒸気の量、パワー、一回の炊飯で蒸す卵の数等によって任意に選択することができる。容器のサイズの一例は、開口底面の直径85mm、上面直径60mm、高さ160 mm程度、排気口の直径10mm〜12mm程度が好ましい。蒸気進入口の数、大きさ等も卵を蒸すのに適する適宜の数、サイズとすることができる。容器の排気口と排気口調整具の調整孔（連通孔）の一方又は双方の形状を楕円形や偏芯円形として、排気口の開口面積をより細かく調整できるようにすることもできる。また、容器の排気口と排気口調整具の調整孔（連通孔）の数も、夫々一つには限られず、二以上開口することもできる。
【００３８】
排気口調整具は、前記各実施形態記載の形状、構造のものには限られず、容器に回転又はスライド可能に取付けられ、排気口の開口面積を調節可能なものであれば、任意の形状、構造のものとすることができる。従って、例えば、排気口調整具を、排気口を閉塞可能な板材とし、容器に回転又はスライド可能に取り付け、板材で排気口調整具を覆うことによって排気口の開口面積を調節できるようにすることもできる。また、排気口にスライド扉を備えたりすることもできる。
【００３９】
前記蒸れ加減目印の数は図示したものより多くても少なくても良く、希望する蒸れ加減の種類分だけ設けることができる。
【００４０】
本考案の炊飯器用卵蒸し器においては卵受け台、容器、排気口調整具、蒸気進入口調整具等の材質は前記材質に限られず、各種金属、紙、木、竹、それらの組み合わせ等、任意のものとすることができる。
【産業上の利用可能性】
【００４１】
本考案の炊飯器用卵蒸し器は、卵の調理には限られず、野菜、肉等の各食材の蒸し調理器としても応用することができる。
【図面の簡単な説明】
【００４２】
【図１】本考案の炊飯器用卵蒸し器の実施形態の一例を示す斜視図。
【図２】図１に示す炊飯器用卵蒸し器を示す分解斜視図。
【図３】図１に示す炊飯器用卵蒸し器を示す断面正面図。
【図４】本考案の炊飯器用卵蒸し器の実施形態の他の一例を示す斜視図。
【図５】本考案の炊飯器用卵蒸し器の実施形態のその他の一例を示す斜視図。
【図６】本考案の炊飯器用卵蒸し器の実施形態のその他の一例を示す斜視図。
【図７】本考案の炊飯器用卵蒸し器の実施形態のその他の一例を示す斜視図。
【図８】図７に示す炊飯器用蒸し器の上部の構造を示す分解斜視図。
【図９】図７に示す炊飯器用蒸し器の下部の構造を示す分解斜視図。
【符号の説明】
【００４３】
１  炊飯器の蓋
２  蒸気吹き出し口
３  卵受け台
４  容器
５  排気口調整具
８  卵受け部
９  蒸気進入口
１０  卵蒸し空間
１２  排気口
１６  調整部
１７  操作部
１９  調整孔
２０ａ〜２０ｃ  蒸れ加減目印
２１  連通孔
２２  軸
２３  設定目印